(57)【特許請求の範囲】
【請求項１】
防潮堤（１）の内水を埋め立てる方法において、
埋立て予定地（１０）内の所定の面積の周縁に沿って土や石材を積み上げて仮土留（２０）を築造する仮土留築造ステップ（Ｓ１）と、
前記埋立て予定地（１０）内の掘削部（５０）に浚渫船を投入する浚渫船投入ステップ（Ｓ２）と、
前記浚渫船を用いて掘削部（５０）内の土砂を前記仮土留（２０）の内側に内水の水面よりも高く盛土するが、前記埋立て予定地（１０）内の掘削部（５０）、および前記浚渫船が前記埋立て予定地（１０）の外部に取り出されるような通路を残して盛土作業を行う盛土ステップ（Ｓ３）と、
前記浚渫船を前記埋立て予定地（１０）の外部に取り出し、その後、前記浚渫船を取り出すために残されていた通路を最後に盛土して盛土部（３０）を完成させる浚渫船撤去ステップ（Ｓ４）と、
前記埋立て予定地（１０）内の盛土（３０）を完了した後、前記掘削部（５０）内の水を前記埋立て予定地（１０）の外部に排水する排水ステップ（Ｓ５）と、
前記埋立て予定地（１０）内の土砂を乾燥させる乾燥ステップ（Ｓ６）と、
を含んでなることを特徴とする防潮堤（１）内の干拓地造成法。
【請求項２】
前記乾燥ステップ（Ｓ６）の後に、前記掘削部（５０）において、浚渫によって形成された掘削部（５０）の周縁を遮水できるように前記掘削部（５０）の周縁に遮水壁を形成する遮水壁設置ステップ（Ｓ７）をさらに含むことを特徴とする請求項１に記載の防潮堤（１）内の干拓地造成法。
【請求項３】
前記仮土留築造ステップ（Ｓ１）は、前記埋立て予定地（１０）の内部を複数の領域に画成して仮土留（２０）を築造することを特徴とする請求項１に記載の防潮堤（１）内の干拓地造成法。
【請求項４】
前記掘削部（５０）の斜面（５１）を階段状に形成して、産業施設、建物、公園、発電所を含む各種の施設を設け、浚渫作業空間（Ｓ）の底面は雨水を貯水する貯水槽（５５）を有することを特徴とする請求項１に記載の防潮堤（１）内の干拓地造成法。
【請求項５】
埋立て予定地（１０）内の浚渫船を投入し難い防潮堤（１）の内水を埋め立てる方法において、
埋立て予定地（１０）の所定の面積の周縁に沿って道路を建設する道路築造ステップ（Ｓ１００）と、
前記埋立て予定地（１０）内の掘削部（５０）に外部から水が流入することを防ぐために前記掘削部（５０）の周縁に沿って遮水壁（４０）を形成する遮水壁（４０）設置ステップ（Ｓ２００）と、
前記埋立て予定地（１０）内の水を前記埋立て予定地（１０）の外部に排水し、且つ、土砂を乾燥させる排水および乾燥ステップ（Ｓ３００）と、
前記掘削部（５０）内の土砂を掘削して、前記掘削部（５０）を除いて前記内水の水面高さよりも高く盛土する盛土ステップ（Ｓ４００）と、
を含んでなることを特徴とする防潮堤（１）内の干拓地造成法。
【請求項６】
前記道路築造ステップ（Ｓ１００）は、前記埋立て予定地（１０）の内部を複数の領域に画成して道路を築造することを特徴とする請求項５に記載の防潮堤（１）内の干拓地造成法。
【請求項７】
前記掘削部（５０）の傾斜部（５３）を階段状に形成して、産業施設、建物、公園、発電所を含む各種の施設を設け、前記掘削部（５０）の底面は雨水を貯水する貯水槽（５５）を有することを特徴とする請求項５に記載の防潮堤（１）内の干拓地造成法。
【請求項８】
防潮堤（１）の埋立て予定地（１０）内に内水が流入することを防ぐために前記埋立て予定地（１０）の周縁に沿って土や石材を積み上げて設けた仮土留（２０）と、
前記埋立て予定地（１０）内の所定の面積を浚渫してくぼみが形成された掘削部（５０）と、
前記掘削部（５０）から得られた土砂を用いて、前記掘削部（５０）を除いて前記埋立て予定地（１０）を埋め立てて前記内水の水面よりも高い平地が形成された盛土部（３０）と、
前記掘削部（５０）の周縁に沿って設けた遮水部（４０）と、
を備えることを特徴とする防潮堤（１）の干拓地施設構造。
【請求項９】
前記掘削部（５０）は、階段状を呈する傾斜部（５３）と、底面に形成された貯水槽（５５）と、から構成されていることを特徴とする請求項８に記載の防潮堤（１）の干拓地施設構造。
【請求項１０】
前記遮水部（４０）は、シートパイルであることを特徴とする請求項８に記載の防潮堤（１）の干拓地施設構造。
【請求項１１】
前記遮水部（４０）は、グラウト材を設けた後、シートパイルを設けたことを特徴とする請求項８に記載の防潮堤（１）の干拓地施設構造。
【請求項１２】
平地となった前記盛土部（３０）と前記掘削部（５０）の斜面（５１）に沿って河川（８０）を形成し、前記盛土部（３０）に設けられた揚水機（７０）を用いて、前記貯水槽（５５）に貯水された水を循環させることを特徴とする請求項９に記載の防潮堤（１）の干拓地施設構造。
【請求項１３】
前記河川（８０）に複数の浄化施設部（７１）を設けたことを特徴とする請求項１２に記載の防潮堤（１）の干拓地施設構造。
【請求項１４】
前記河川（８０）の、掘削部（５０）の斜面（５１）に接する個所に水門（７２）を設けたことを特徴とする請求項１２に記載の防潮堤（１）の干拓地施設構造。
【請求項１５】
前記河川（８０）に雨水収集手段が設けられたことを特徴とする請求項１２に記載の防潮堤（１）の干拓地施設構造。
【請求項１６】
前記雨水収集手段は、
路上の雨水が流入する雨水管（１１０、１１５）と、
河川底面部（１２０）に設けられて前記雨水管（１１０、１１５）を通過した雨水が前記河川（８０）に流れる水と同じ方向に流れるように案内する集水管（１３０）と、
前記集水管（１３０）を通過した雨水を一時的に溜める貯溜槽（１４０）と、
を備えることを特徴とする請求項１５に記載の防潮堤（１）の干拓地施設構造。
【請求項１７】
前記集水管（１３０）は、雨水管（１１０、１１５）の直径よりも大きく形成されていることを特徴とする請求項１６に記載の防潮堤（１）の干拓地施設構造。
【請求項１８】
前記河川底面部（１２０）と接する個所に前記雨水管（１１０）と連結される集水井（１５０）を設け、流水量が増えた場合に前記河川（８０）に流入するようにすることを特徴とする請求項１６に記載の防潮堤（１）の干拓地施設構造。
【請求項１９】
前記集水井（１５０）が前記河川（８０）の傾斜部（８１）と接する個所に、オーバーフロー部（１５１）を、前記河川（８０）の水面よりも高い個所に位置するように設け、前記オーバーフロー部（１５１）を介して雨水が前記河川（８０）に流れるようにすることを特徴とする請求項１８に記載の防潮堤（１）の干拓地施設構造。
【請求項２０】
前記雨水貯水槽（５５）と近接する前記河川（８０）の下流の近くに、前記集水管（１３０）につながる支流管（１４５）を設け、前記集水管（１３０）に溜まった雨水が前記支流管（１４５）を介して前記貯溜槽（１４０）に溜まるようにすることを特徴とする請求項１６に記載の防潮堤（１）の干拓地施設構造。
【請求項２１】
前記貯溜槽（１４０）に溜まった雨水の水質の状態に応じて前記貯留槽（１４０）に連結される、
浄水処理場に連結する第１の管路（１４１）と、
下水終末処理場に連結される第２の管路（１４２）と、
排水路に連結される第３の管路（１４３）と、
を備えることを特徴とする請求項１６または２０に記載の防潮堤（１）の干拓地施設構造。
【請求項２２】
前記下水終末処理場および前記浄水処理場を通過した水は、前記貯水槽（５５）に至ることを特徴とする請求項２１に記載の防潮堤（１）の干拓地施設構造。
【請求項２３】
前記支流管（１４５）には、前記河川（８０）とは別に地上に設けられた、前記支流管（１４５）に雨水が流れる間に浮遊物と沈殿物を除去する除去部（１６０）と、水を浄化させる浄化部（１７０）と、が設けられていることを特徴とする請求項２０に記載の防潮堤（１）の干拓地施設構造。
【請求項２４】
前記除去部（１６０）は、前記支流管（１４５）の断面積よりも大きくされて流速を遅らせる湾曲部（１６１）と、流れの方向を変化させる誘導部（１６２）と、前記支流管（１４５）の底面よりも深く形成した沈殿部（１６４）とを有し、雨水が前記除去部（１６０）を通過する間に浮遊物質と沈殿物質が前記除去部（１６０）に残留することを特徴とする請求項２３に記載の防潮堤（１）の干拓地施設構造。
【請求項２５】
前記浄化部（１７０）は、前記支流管（１４５）の一部を広げた拡管部（１７１）と、流れの方向を変化させる誘導部（１７２）と、前記拡管部（１７１）の内部に設けられた浄化フィルター（１７５）とを有することを特徴とする請求項２３に記載の防潮堤（１）の干拓地施設構造。
【請求項２６】
前記浄化フィルター（１７５）は、水が流れる方向に直交するように設けられたことを特徴とする請求項２５に記載の防潮堤（１）の干拓地施設構造。
【発明の詳細な説明】
【技術分野】
【０００１】
本発明は、防潮堤内の干拓地造成法およびそれを用いた施設構造に関し、より詳しくは、埋立て予定地内の浚渫土を盛り上げて干拓地を造成することにより、コストを削減し、且つ、外部浚渫による環境問題を解消するとともに、埋立て予定地内の浚渫によって形成されたくぼみを各種の産業施設や、河川公園などとして活用することはもとより、特に、清浄雨水を用水として活用することのできる干拓地造成法およびそれを用いた施設構造に関する。
【背景技術】
【０００２】
産業用地や農業用地を確保するための方法として、海岸に防潮堤を築いて干潟と海を土に切り換える干拓地造成法が広く知られている。その代表例として、韓国のセマングム干拓事業が挙げられる。
【０００３】
防潮堤内の内水埋立は、平野近くの低い山の土石採取場から採取した土石で盛土を行うのが普通であるが、土石採取場が近くにないときや、セマングム干拓事業のように盛土面積が極めて広い場合には、近くの海域において浚渫した浚渫土で盛土を行うこととなる。
【０００４】
しかしながら、防潮堤の内水を埋め立てるために外部浚渫土を用いる場合、工程に応じて適切な時期に浚渫土を供給するのに限界がある。
【０００５】
すなわち、外部の浚渫土を盛土材として活用する場合、環境問題と施工機関別の工事計画の不一致に起因して盛土材の供給が困難になる結果、工期の延長を余儀なくされるといった不都合が発生する。
【０００６】
また、近くの海域において浚渫した浚渫土を盛土材として活用した場合には、海域において浚渫するための設備および浚渫土を運搬するための車両など膨大な設備と手間およびコストが投入される必要があるという問題ももたらされる。
【０００７】
一方、防潮堤の内水を所定の面積だけ埋め立てた埋立地には、防潮堤によって形成された淡水湖を流入水として用いるが、淡水湖から流入した水は埋立地の工業団地内を循環した後に流出することとなる。しかしながら、上記防潮堤によって形成された淡水湖は水の循環が円滑に行われず、しかも、水質管理に難点が多いため、水質が汚染され易く、これは、環境問題の誘発につながるという不都合がある。
【発明の概要】
【発明が解決しようとする課題】
【０００８】
本発明は、上記の従来の問題点を解消するために、埋立て予定地内の所定の地域を掘削して得られた土砂を活用して盛土を行うことにより、コストを削減し、外部浚渫による環境問題を解消するとともに、埋立て予定地内の掘削によって形成されたくぼみを各種の産業施設や河川、公園などとして活用し、特に、浄化された雨水を各種の施設に必要とされる用水として積極的に用いる防潮堤内の干拓地造成法およびそれを用いた施設を提供することを目的とする。
【課題を解決するための手段】
【０００９】
上記目的を達成するため、本発明は、防潮堤の内水を埋め立てる方法において、 埋立て予定地内の所定の面積の周縁に沿って土や石材を積み上げて仮土留を築造する仮土留築造ステップと、前記埋立て予定地内の掘削部に浚渫船を投入する浚渫船投入ステップと、前記浚渫船を用いて掘削部内の土砂を前記仮土留の内側に内水の水面よりも高く盛土するステップであって、前記埋立て予定地内の掘削部のみを残して盛土部を形成する盛土ステップと、前記盛土を完了する前に、前記浚渫船を前記埋立て予定地の外部に取り出す浚渫船撤去ステップと、前記埋立て予定地内の盛土を完了した後、前記掘削部内の水を前記埋立て予定地の外部に排水する排水ステップと、前記埋立て予定地内の土砂を乾燥させる乾燥ステップと、を含んでなることを特徴とする。
【００１０】
また、本発明に係る、浚渫船を投入できない埋立て予定地における防潮堤の内水の埋立て法は、埋立て予定地の所定の面積の周縁に沿って道路を建設する道路築造ステップと、前記埋立て予定地内の掘削部に外部から水が流入することを防ぐために前記掘削部の周縁に沿って遮水壁を形成する遮水壁設置ステップと、前記埋立て予定地内の水を前記埋立て予定地の外部に排水し、且つ、土砂を乾燥させる排水および乾燥ステップと、前記掘削部内の土砂を掘削して、前記掘削部を除いて前記内水の水面高さよりも高く盛土する盛土ステップと、を含んでなることを特徴とする。
【００１１】
さらに、本発明に係る防潮堤の施設構造は、防潮堤の埋立て予定地内に内水が流入することを防ぐために前記埋立て予定地の周縁に沿って土や石材を積み上げて設けた仮土留と、前記埋立て予定地内の所定の面積を浚渫してくぼみが形成された掘削部と、前記掘削部から得られた土砂を用いて、前記掘削部を除いて前記埋立て予定地を埋め立てて前記内水の水面よりも高い平地が形成された盛土部と、前記掘削部の周縁に沿って設けた遮水部と、を備えることを特徴とする。
【発明の効果】
【００１２】
本発明は、埋立て予定地内の掘削部から採掘した浚渫土を活用して盛土を行うことにより、工期を短縮し、コストを削減するとともに、外部浚渫による環境問題を円滑に解消することができる。
【００１３】
また、掘削部における浚渫によって形成されたくぼみを、浄水された雨水を貯水するための貯水槽として活用して、産業用水として用いる一方、貯水槽に貯水された水を干拓地内に循環させることにより、生態空間を造成することができる。
【図面の簡単な説明】
【００１４】
【図１】本発明に係る埋立て予定地に浚渫船を投入して浚渫する防潮堤の干拓地造成法を示すステップごとのフローチャートである。
【図２】埋立て予定地に浚渫船を投入できない防潮堤内の干拓地造成法を示すステップごとのフローチャートである。
【図３】本発明に係る防潮堤内の干拓地造成法によって埋め立てられた後の状態を示す平面図である。
【図４】図３のＡ−Ａ線断面図である。
【図５】本発明による干拓地の概略斜視図である。
【図６】本発明による河川８０の平面図である。
【図７】図６のＡ−Ａ線断面図である。
【図８】図７の断面図である。
【図９】図７の断面図である。
【図１０】図７の断面図である。
【図１１】本発明による除去部１６０を示す図である。
【図１２】本発明による浄化部１７０を示す図である。
【発明を実施するための形態】
【００１５】
以下、添付図面に基づき、本発明に係る防潮堤内の干拓地造成法およびそれを用いた施設構造を詳述する。
【００１６】
図１は、本発明に係る埋立て予定地に浚渫船を投入して浚渫する防潮堤の干拓地造成法を示すステップごとのフローチャートであり、図２は、埋立て予定地に浚渫船を投入できない防潮堤内の干拓地造成法を示すステップごとのフローチャートである。
【００１７】
また、図３は、本発明に係る防潮堤内の干拓地造成法によって埋め立てられた後の状態を示す平面図であり、図４は、図３のＡ−Ａ線断面図である。
【００１８】
本発明に係る防潮堤内の干拓地造成法は、埋立て予定地内に浚渫船を用いた作業が可能であるか否かによって区別できる。
【００１９】
まず、浚渫船を用いて浚渫作業を行う方法について説明する。
【００２０】
防潮堤内の埋立て予定地に浚渫船を用いた浚渫作業が行える地域は、コスト削減の面から浚渫船を用いて作業を行った方が有利であるため、下記のように、仮土留築造ステップ（Ｓ１）と、浚渫船投入ステップ（Ｓ２）と、盛土部築造ステップ（Ｓ３）と、浚渫船撤去ステップ（Ｓ４）と、排水ステップ（Ｓ５）と、乾燥ステップ（Ｓ６）と、遮水壁設置ステップ（Ｓ７）と、を有する。
【００２１】
上記の具体的なステップの実施例は、下記の通りである。
【００２２】
ア．仮土留築造ステップ（Ｓ１）：
仮土留築造ステップ（Ｓ１）は、埋立て予定地１０内の所定の面積の周縁に沿って土や石材を積み上げて仮土留２０を築造するステップである。
【００２３】
防潮堤１の内水を埋め立てるとき、全体を同時に埋め立てることなく、工業団地や住宅団地または農業団地として用いる用途に応じて、所定の面積の埋立て予定地１０を設定してそれぞれ別々に埋立工事を行う。
【００２４】
このため、前記仮土留築造ステップ（Ｓ１）は、所定の面積の埋立て予定地１０を設定した後に、埋立て予定地１０の内部を複数の領域に画成し、各画成された面積の周縁に沿って仮土留２０を築造することとなる。
【００２５】
すなわち、埋立て予定地１０内の複数の領域に画成された面積の周縁に沿って土や石材を積み上げて仮土留２０を形成することとなる。
【００２６】
もちろん、前記複数に画成された面積のうち、まず、いずれか一つの面積の周縁に仮土留２０を築造した後に、次いで、次の面積の周縁に仮土留２０を築造し、このように後続して次の面積の周縁に仮土留２０を築造し続ける間に、以前に築造が完了した仮土留２０の内側に浚渫船（図示せず）を用いて盛土３０を行う作業が同時に行われる。
【００２７】
そして、前記仮土留２０の高さは、防潮堤１の内水面の高さと盛土部３０の高さよりも高く築造することが好ましい。
【００２８】
一方、前記埋立て予定地１０内に仮土留２０を築造するときに、浚渫船が投入される通路（図示せず）は残しておく必要がある。
【００２９】
イ．浚渫船投入ステップ（Ｓ２）：
浚渫船投入ステップ（Ｓ２）は、前記埋立て予定地１０の浚渫作業空間Ｓ、すなわち、掘削部５０に浚渫船を投入するステップである。
【００３０】
前記掘削部５０では、埋立て予定地１０内の概ね中央部に所定の面積を設定することが好ましいが、これに限定されることなく、埋立て予定地１０内の様々な個所に設定してもよい。
【００３１】
また、浚渫船を投入する時期は、前記仮土留築造ステップ（Ｓ１）の前後であってもよく、築造中であってもよい。
【００３２】
ウ．盛土ステップ（Ｓ３）：
盛土ステップ（Ｓ３）は、浚渫船を用いて掘削部５０内の土砂を前記仮土留２０の内側に盛土するが、埋立て予定地１０の掘削部５０のみを残して盛土するステップである。
【００３３】
すなわち、前記仮土留築造ステップ（Ｓ１）において所定の面積の周縁に築造された仮土留２０の内側に浚渫船によって汲み上げられた土砂を、掘削部５０を除いて盛土部３０に積み上げるステップである。このとき、盛土部３０の高さは、防潮堤１の内水面の水面よりも高くし、且つ、前記仮土留２０の高さよりも低くすることが好ましい。
【００３４】
このように仮土留築造ステップ（Ｓ１）と盛土ステップ（Ｓ３）を繰り返し行うことにより、複数に画成して築造された仮土留２０の内側を順次に積み上げて埋立て予定地１０内の全体の仮土留２０の内側に盛土を行う。
【００３５】
このため、埋立て予定地１０は、土砂を掘り上げた掘削部５０内にくぼみが形成されるとともに、残りの部分には防潮堤１の内水面の高さよりも高い盛土部３０が形成される。もちろん、このとき、前記掘削部５０内において浚渫作業を行っていた浚渫船が埋立て予定地１０の外部に取り出されるような通路は残してから盛土作業を行う。
【００３６】
一方、仮土留２０の内側に土砂を盛土する作業を行う間に、仮土留２０の外への排水が行われる。
【００３７】
エ．浚渫船撤去ステップ（Ｓ４）：
浚渫船撤去ステップ（Ｓ４）は、浚渫船を、埋立て予定地１０の全体の盛土作業が完了する前に埋立て予定地１０の外に取り出すステップである。
【００３８】
前記浚渫船を埋立て予定地１０の外部に取り出した後には、浚渫船を取り出すために残されていた通路を最後に盛土して盛土部３０を完成させる。
【００３９】
このようにして浚渫船を埋立て予定地１０の外部に取り出すと、埋立て予定地１０の掘削部５０には浚渫船で土砂を掘り上げた結果としてのくぼみが形成され、その残りはいずれも所定の高さの土砂で積み上げられた盛土部３０が完成され、掘削部５０に形成されたくぼみの底部には水が満たされている状態である。
【００４０】
オ．排水ステップ（Ｓ５）：
排水ステップ（Ｓ５）は、埋立て予定地１０内の盛土を完了した後、掘削部５０内のくぼみの底部に満たされた水を埋立て予定地１０の外部に排水するステップである。
【００４１】
すなわち、ポンプなどを用いて、掘削部５０に満たされている水を全て埋立て予定地１０の内水側に排水する。
【００４２】
カ．乾燥ステップ（Ｓ６）：
乾燥ステップ（Ｓ６）は、排水ステップ（Ｓ５）を経て掘削部５０内の水を全て埋立て予定地１０の内水側に排水した後、所定の期間の間に埋立て予定地１０内の土砂を自然乾燥させるステップである。
【００４３】
このとき、盛土部３０に堆積されている土砂だけではなく、掘削部５０内の浚渫によって形成されたくぼみ５０内の土砂まで全て乾燥させる。
【００４４】
キ．遮水壁設置ステップ（Ｓ７）：
遮水壁設置ステップ（Ｓ７）は、乾燥ステップ（Ｓ６）後に埋立て予定地１０内に形成されたくぼみに水が流入することを防ぐために、掘削部５０の周縁にシートパイル４０を打ち込んだりグラウトを行ったりするステップである。
【００４５】
このとき、シートパイル４０は、地質に応じて変更可能であるが、概ね地下２５〜３５ｍの深さまで打ち込むことが好ましい。
【００４６】
一方、シートパイル４０を打ち込む間に、岩盤や作業が行われ難い個所が見出されれば、岩盤から水が漏出する個所にグラウトを行う。
【００４７】
このように、前記掘削部５０の周縁にシートパイル４０を設けたりグラウトを行ったりすることにより、掘削部５０に形成されたくぼみの地盤沈下を防ぐことができる。
【００４８】
一方、前記浚渫作業によって形成された掘削部５０内のくぼみは、図４に示すものよりもより緩やかな斜面５１を有するが、前記斜面５１を階段状に形成して、それぞれの水平面５２に産業施設や、建物、公園、太陽光発電所など様々な施設を建設してもよい。
【００４９】
また、前記掘削部５０の斜面５１を階段状に形成することにより、ヒービング、ボイリング（噴砂）、パイピング、スライディング、地下水流入などによる問題を予防することができる。
【００５０】
さらに、掘削部５０の底面には整地作業によって雨水を貯水し得る貯水槽５５を形成し、前記貯水槽５５の水を、埋め立てられた干拓地に循環させる生態河川によって浄化させる。
【００５１】
このため、埋立て予定地１０内の浚渫によって形成された掘削部５０のくぼみに各種の施設や公園、太陽光発電所を建設することができるだけではなく、淡水湖の水を流入せずとも、浄化された雨水を用水として用いることができるので、親水型生態空間を造成することができる。
【００５２】
以下、埋立て予定地１０内の内水が浅い場合、あるいは、石材などの障害物が多くて浚渫船を投入し難い場合の干拓地造成法の実施例を説明する。
【００５３】
このときには、図２に示すように、仮土留および道路築造ステップ（Ｓ１００）と、遮水壁設置ステップ（Ｓ２００）と、排水および乾燥ステップ（Ｓ３００）と、掘削および盛土ステップ（Ｓ４００）と、を経て干拓地を造成する。
【００５４】
このように埋立て予定地１０内に浚渫船を投入し得ない場合の具体的なステップごとの作業は、下記の通りである。
【００５５】
ア．道路築造ステップ（Ｓ１００）：
道路築造ステップ（Ｓ１００）は、土砂やコンクリートなどにより埋立て予定地１０内に道路を建設する作業を行うステップである。
【００５６】
防潮堤１内の内水と接する道路は内水の水面よりも高く形成して内水の流入を防ぐ。一方、埋立て予定地１０内に位置している道路は、産業団地、住宅団地など予め計画された団地別の特性に合わせて施工する。
【００５７】
このとき、埋立て予定地１０内の概ね中央部に予め掘削部５０を設定して、前記掘削部５０の周縁に亘って道路を築造する。
【００５８】
イ．遮水壁設置ステップ（Ｓ２００）：
遮水壁設置ステップ（Ｓ７）は、道路築造ステップ（Ｓ１００）後に、埋立て予定地１０内に今後の作業によって形成されるくぼみに水が流入することを防ぐために、既に設定された掘削部５０の周縁にシートパイル４０を打ち込んだりグラウトを行ったりするステップである。
【００５９】
このとき、シートパイル４０は、地質に応じて変更可能であるが、概ね地下２５〜３５ｍの深さまで打ち込むことが好ましい。
【００６０】
一方、シートパイル４０を打ち込む間に、岩盤や作業が行われ難い個所が見出されれば、岩盤から水が漏出する個所にグラウトを行う。
【００６１】
このように、前記掘削部５０の周縁にシートパイル４０を設けたりグラウトを行ったりすることにより、掘削部５０に形成されたくぼみの地盤沈下を防ぐとともに、水の流入を防ぐ。
【００６２】
ウ．排水および乾燥ステップ（Ｓ３００）：
排水および乾燥ステップ（Ｓ３００）は、埋立て予定地１０内の全体に亘って溜まっている水を防潮堤１の内水に排水し、且つ乾燥させるステップである。
【００６３】
すなわち、ポンプなどを用いて埋立て予定地１０に溜まっている水を全て内水に向けて排水するとともに、所定の期間の間に自然乾燥させる。
【００６４】
上記の排水および乾燥ステップ（Ｓ３００）を行うことにより、埋立て予定地１０内の全面積に亘って水が存在しなくなるため、埋立て予定地１０は、道路２０を除いては、水の深さに見合う分だけ低くなる。
【００６５】
エ．掘削および盛土ステップ（Ｓ４００）：
掘削および盛土ステップ（Ｓ４００）は、遮水壁設置ステップ（Ｓ２００）によってシートパイルが設けられた掘削部５０から土砂を採取して盛土部３０を形成するステップである。
【００６６】
すなわち、埋立て予定地１０内に予め設定された掘削部５０から土砂を掘り上げて掘削部５０の外部に移動して積載して盛土部３０を形成する。
【００６７】
このとき、盛土する高さは、防潮堤１の内水面の高さよりも高くすることが好ましい。
【００６８】
掘削および盛土ステップ（Ｓ４００）が完了したとき、掘削部５０には掘り上げられた土砂によってくぼみが形成され、盛土部３０は、防潮堤１の内水よりも高い平地となる。
【００６９】
このとき、遮水壁設置ステップ（Ｓ２００）によって、掘削部５０の周縁に既にシートパイルが設けられているため、掘削部５０のくぼみには水が溜まっていない。
【００７０】
掘削部５０内のくぼみは、上述した浚渫船を投入して干拓地を造成する方法と同様に、斜面５１を有するが、前記斜面５１を階段状に形成してそれぞれの水平面５２に産業施設や、建物、公園、太陽光発電所など様々な施設を建設することができる。
【００７１】
さらに、前記掘削部５０の斜面５１を階段状に形成することにより、ヒービング、ボイリング（噴砂）、パイピング、スライディング、地下水流入などによる問題を予防することができる。
【００７２】
さらに、掘削部５０の底面には整地作業によって雨水を貯水し得る貯水槽５５を形成し、前記貯水槽５５の水を、埋め立てられた干拓地に循環させる生態河川によって浄化させる。
【００７３】
続いて、上記の防潮堤１内の干拓地造成法によって形成された掘削部５０のくぼみを用いて浄化された雨水を用水として活用する施設について詳述する。
【００７４】
図３に示すように、本発明の造成法によって形成された干拓地は、防潮堤１の埋立て予定地１０内に内水が流入することを防ぐために、前記埋立て予定地１０の周縁に沿って土や石材を積み上げてなる仮土留または道路２０と、前記埋立て予定地１０内の所定の面積を浚渫してくぼみが形成された掘削部５０と、前記掘削部５０から得られた土砂を用いて、前記掘削部５０を除いて、前記埋立て予定地１０を埋め立てて前記内水の水面よりも高い平地が形成された盛土部３０および前記掘削部５０の周縁に沿って設けた遮水部４０からなる。
【００７５】
一方、前記掘削部５０は、階段状に形成された傾斜部５３と、底面に形成された貯水槽５５と、から構成され、前記傾斜部５３は、水平面５１と斜面５２とからなる。
【００７６】
本発明は、干拓地内に設置される産業施設およびアパートなどに提供される水として淡水（すなわち、内水）を用いることなく、浄化された雨水を用水として活用することを特徴とする。
【００７７】
本発明は、このために、掘削部５０の貯水槽５５に満たされた雨水を浄化させるために河川を形成して循環させる一方、汚染された雨水（初期の降雨）を浄化させる施設を別に設置する。
【００７８】
図５は、本発明による干拓地の概略斜視図である。
【００７９】
同図には、掘削部５０の貯水槽５５に満たされた水を循環させる構成要素が示されている。
【００８０】
貯水槽５５に貯水された水は、平地の盛土部３０に設けられた揚水機７０によって上水路７３を通って河川８０に供給される。前記河川８０は、平地となった盛土部３０および掘削部の傾斜部５３にそれぞれ形成されて貯水槽５５につながる。
【００８１】
このため、揚水機７０を動作させると、貯水槽５５の水は、貯水槽５５→上水路７３→盛土部３０の河川８０→傾斜部５３の河川８０→貯水槽５５と循環し、貯水槽５５に貯水された水は自然に浄化される。
【００８２】
もちろん、上記の揚水機７０および河川８０は、干拓地の団地別の特性に合わせて設置または形成してもよい。
【００８３】
一方、河川８０の途中に公知の浄化施設部７１を複数設け、より清浄な水を循環させる。
【００８４】
また、盛土部３０と掘削部５０の傾斜部５３が接する河川に水門７２を設け、自然落下によって水質をより改善することができる。
【００８５】
清浄な雨水河川は、初期の降雨をどのようにして浄化させるかによって異なる。
【００８６】
本発明においては、このような初期の降雨を集めるための手段が河川８０に設置されている。
【００８７】
図６は、本発明の河川８０の平面図であり、図７は、図６のＡ−Ａ線断面図であり、図８、図９および図１０は、図７のそれぞれの断面図である。
【００８８】
図６および図７に示すように、本発明の雨水収集手段は、路上の雨水が流入する雨水管１１０と、前記雨水管１１０を通過した雨水が前記河川８０に流れる水と同じ方向に流れるように案内する集水管１３０と、前記集水管１３０を通過した雨水を一時的に貯留する貯溜槽１４０とを備える。
【００８９】
集水管１３０は、雨水管１１０の直径よりも遥かに大きく形成される。
【００９０】
また、本発明においては、初期の汚染された雨水が降った後、降水量が増えたときに、雨水管１１０に流れる雨水が河川８０に流入するように、上雨水管１１０につながる集水井１５０を設ける。
【００９１】
このため、図７に示すように、上記の集水井１５０を通過した雨水は、河川底面部１２０の下部に設けられた下雨水管１１５を経て集水管１３０に流れる。
【００９２】
図７および図９に示すように、集水井１５０は、河川８０の斜面８１と接する個所を、上雨水管１１０の流入口１１１よりも高く、且つ、広幅に形成して、上雨水管１１０の流入口１１１を通過した雨水が一時的に集水井１５０に貯溜される。
【００９３】
その後、前記集水井１５０の上雨水管１１０に流入する流量が増えて集水管１３０の容量を超えてしまうと、オーバーフロー部１５１を介して河川８０に溢れ流れることとなる。
【００９４】
一方、図６に示すように、雨水貯水槽５５に隣接する河川８０の下流近くの地上に、集水管１３０につながる支流管１４５を設け、集水管１３０に溜まった雨水が、支流管１４５を介して、河川８０の外に設けられた貯溜槽１４０に溜まるようにする。
【００９５】
また、図示はしないが、雨水収集手段を河川８０とは別に設ける場合には、支流管１４５を別に設けることなく、集水管１３０を貯溜槽１４０に直結してもよい。
【００９６】
上記の支流管１４５は、河川８０とは異なる個所に設けられる。
【００９７】
本発明の集水管１３０と貯溜槽１４０との間に設けられた支流管１４５の上に、汚染水と混合された浮遊物をろ過する除去部１６０と、水を浄化させる浄化部１７０とが設けられる。
【００９８】
図１１および図１２は、本発明の除去部１６０と浄化部１７０を示す図である。
【００９９】
除去部１６０は、支流管１４５の一部を広げて前記支流管１４５の断面積よりも大きくして流速を遅らせる湾曲部１６１と、流れの方向を変化させる誘導部１６２と、支流管１４５の底面よりも深く形成した沈殿部１６４とを有し、これにより、雨水が前記除去部１６０を通過する間に浮遊物質と沈殿物質が前記除去部１６０に残される。
【０１００】
また、浄化部１７０は、支流管１４５の一部を広げた拡管部１７１と、拡管部１７１の内部の水の流れを変化させる誘導部１７２と、水が流れる方向に直交するように設けられた浄化フィルター１７５とを有する。
【０１０１】
このように沈殿部１６０と浄化部１７０を有する支流管１４５を経る間にかなりのろ過がなされた雨水は、貯溜槽１４０に至る。
【０１０２】
貯溜槽１４０は、水質の状態に応じて連結される、浄水処理場につながる第１の管路１４１と、下水終末処理場につながる第２の管路１４２と、排水路につながる第３の管路１４３とを備えている。これらは、貯溜槽１４０につながる管路の一例に過ぎず、本発明では、水質の状態に応じて様々な施設物に連結して雨水を浄化させてもよい。
【０１０３】
一方、図示はしないが、通常の下水終末処理場または前記浄水処理場の施設を通過した雨水は、清浄な状態で貯水槽５５に送り込むことができる。
【０１０４】
上述した本発明の防潮堤の内水埋立方法によって造成された干拓地に形成されるくぼみの水を循環させる手段および浄化された雨水を寄せ集める手段は、単なる一実施の形態に過ぎず、雨水を用いた各種の方法が採用可能である。
【０１０５】
このように、本発明は、防潮堤の埋立て予定地内の浚渫土を活用することにより、コストを削減し、且つ、埋立て予定地内の浚渫によって形成されたくぼみに各種の産業施設や河川を誘致するとともに、雨水貯溜槽として活用することにより、造成された団地に清浄な用水を供給することが可能になる。
【０１０６】
なお、干拓地内に雨水を循環させる河川を用いて生態空間を造成することができるので、環境にやさしい団地作りが可能になる。
【図１】
0005723872.tif 000002
【図２】
0005723872.tif 000003
【図３】
0005723872.tif 000004
【図４】
0005723872.tif 000005
【図５】
0005723872.tif 000006
【図６】
0005723872.tif 000007
【図７】
0005723872.tif 000008
【図８】
0005723872.tif 000009
【図９】
0005723872.tif 000010
【図１０】
0005723872.tif 000011
【図１１】
0005723872.tif 000012
【図１２】
0005723872.tif 000013